(57)【特許請求の範囲】
【請求項１】
傾斜地に設置される複数の傾斜パネル体を連結する傾斜フェンスにおいて、
上下の横桟と左右の縦桟とを平行四辺形状に組み、左右の縦桟間に複数の横材を多段に配置し、上記上下の横桟の外側に上下部胴縁を取り付けるとともに、
左右の縦桟の間に設けた中桟の上下端を上記横桟と胴縁との間に配置してビス止めしたことを特徴とする傾斜フェンス。
【請求項２】
上記中桟は、上記横桟の内側の内側中桟と上記横桟の外側中桟とを結合してなり、内側中桟の両側端に形成した外向きＬ形縁と外側中桟の両側端に形成した内向きＬ形縁とを係合させ、外向きＬ形縁と内向きＬ形縁の上下部を切欠き、切欠き部の内側に上記横桟を挟み込んだことを特徴とする、請求項１に記載の傾斜フェンス。
【発明の詳細な説明】
【技術分野】
【０００１】
本発明は、傾斜面に設置される傾斜フェンスに関する。
【背景技術】
【０００２】
一般に、フェンスは平坦地に設置される場合が多いが、敷地の一部が傾斜しているような場合は、その傾斜地にもフェンスを設置することが必要となる。この場合、平坦地の水平パネル体と傾斜パネル体とを連結し、また傾斜パネル体と傾斜パネル体とを連結しなければならない。このような傾斜パネル体を含む連結構造として特許文献１に示されるものが知られている。これは、水平パネル体と傾斜パネル体とを連結する場合も、傾斜パネル体同士を連結する場合も、共通の縦框に、連結されるべき２つのパネル体の上下の横胴縁の端部を収容して固定するものである。
【特許文献１】特開２００２−２５０１５３公報
【発明の開示】
【発明が解決しようとする課題】
【０００３】
しかしながら、上記連結構造では、傾斜地に設置された複数の傾斜パネル体同士を連結する場合、パネル体同士の連続性の問題があるので、傾斜地に一枚の全長が長い大型パネル体を配設することによって上下のパネル体間の連続性の問題は解決できるが、傾斜パネル体は一体構成であるが、強度上の問題があり、大きな一体パネルを製作するのは困難であった。
【０００４】
本発明は上記問題点を解消し、十分な強度を有し、大きな一体パネルを製作することができる傾斜フェンスを提供することをその課題とする。
【課題を解決するための手段】
【０００５】
前記課題を解決するため、請求項１に係る発明は、傾斜地に設置される複数の傾斜パネル体を連結する傾斜フェンスにおいて、上下の横桟と左右の縦桟とを平行四辺形状に組み、左右の縦桟間に複数の横材を多段に配置し、上記上下の横桟の外側に上下部胴縁を取り付けるとともに、左右の縦桟の間に設けた中桟の上下端を上記横桟と胴縁との間に配置してビス止めしたことを特徴とする。
【０００６】
請求項２に係る発明は、請求項１において、上記中桟は、上記横桟の内側の内側中桟と上記横桟の外側中桟とを結合してなり、内側中桟の両側端に形成した外向きＬ形縁と外側中桟の両側端に形成した内向きＬ形縁とを係合させ、外向きＬ形縁と内向きＬ形縁の上下部を切欠き、切欠き部の内側に上記横桟を挟み込んだことを特徴とする。
【発明の効果】
【０００７】
請求項１に係る発明によれば、傾斜パネル体にも中桟を配置することにより、水平パネル体の構造と同じ態様となり、平坦地と傾斜地に設置されるパネル体のデザインに連続性、統一性が得られることになり、全体的な外観が良好となる。また、中桟を設けることにより、枠とルーバーの強度が向上するから、大きな一体パネルを製作することが可能となる。
【０００８】
請求項２に係る発明によれば、内側中桟の外向きＬ形縁と外側中桟の内向きＬ形縁とを係合させることにより一体とし、外向きＬ形縁と内向きＬ形縁の上下部を切欠き、切欠き部の内側に上記横桟を挟み込んだので、全体が平行四辺形状に変形しても横桟が上記Ｌ形縁に干渉することがない。
【発明を実施するための最良の形態】
【０００９】
図１は傾斜地に設置された２枚の傾斜パネル体ａを平坦地に設置された水平パネル体ｂに連結した傾斜フェンスを示すもので、傾斜パネル体ａはアルミニウム等の押出型材から構成され、図３に示す方形のパネル体ａ´を平行四辺形に変形させたもので、このパネル体ａ´は、図３〜図６に示されるように、上下の横桟１、２と左右の縦桟３とを枠組みし、左右の縦桟３間に複数のルーバー４（横材）を多段に配置し、左右の縦桟３の間に中桟５を設けるとともに、上記上下の横桟１、２と中桟５を上下部胴縁６、７と縦桟カバー８との内側に収納配置してなるものである。なお、横材はルーバーに限定されない。横板や横格子等であってもよい。
【００１０】
横桟１、２は断面が略コ字形に形成され、両側の肩部の外側方には突縁１１が張出し形成されている。
【００１１】
縦桟３は断面が略コ字形に形成され、両端は横桟１、２の内側に嵌合されてリベット９で連結されている。
【００１２】
ルーバー４は、断面がＺ字形のベース縁４ａの上部を斜めの連結縁４ｂによって連結したもので、両端は上記縦桟３にリベット１０で止められている。上下に隣り合うルーバー４の間には空気が流通する隙間が形成されている。
【００１３】
このように、上記上下の横桟１、２と左右の縦桟３とにより方形の枠体が組まれている。
【００１４】
また、中桟５は左右の縦桟３の間に設けられ、図５および図６に示されるように、内側中桟５ａと外側中桟５ｂとからなる二重構造の部材で、内側中桟５ａの両側端には外向きＬ形縁１２が形成され、外側中桟５ｂの両側端には内向きＬ形縁１３が形成されている。内側中桟５ａは左右の縦桟３を結ぶ線上に配置されている。そして、外向きＬ形縁１２と内向きＬ形縁１３とは係合して一体に結合されている。そして、両Ｌ形縁１２、１３の上下部を切欠き、切欠き部１９の内側に上記横桟１、２を挟み込むとともに、図６および図７に示されるように、内側中桟５ａは上記ルーバー４に対してリベット１４で止められ、中桟５の上下端は上記上下横桟１、２にリベット１５で固定されている。
【００１５】
次に、上下部胴縁６、７は断面が略コ字形の部材であり、上部胴縁６と下部胴縁７にはそれぞれ中空部１８の一方の側面にはその長手方向に沿ってビス止め用のビス受け溝２１が形成され、他方の側面にはその長手方向に沿って固定金具の受け溝２２が形成されている。両側面の基部の内面には開口が狭い嵌合溝２０が形成されている。そして、嵌合溝２０には上記上下部横桟１、２の突縁１１が嵌合し、またビス１６でビス止めされている。これにより上下部横桟１、２と上下部胴縁６、７とは一体に結合されている。縦桟カバー８は縦桟３に対してビス１７により固定されている。なお、ビス１７は縦桟カバー８に形成された後述の傾斜長孔４５に挿通されている。
【００１６】
ところで、上記パネル体ａ´の構成部材は縦横平行に配置され、リベット９、１０、１４等も平行線上に設けられている。このため、図３に示された方形のパネル体ａ´を、その左右を上下反対側にずらし移動して図１に示す平行四辺形のパネル体ａに変形させることが可能である。縦と横の角度は自由に変えることができる。もちろん、初めから図１のように組んでもよい。ビスはずらし移動した後に打ち込んでもよい。
【００１７】
次に、水平パネル体ｂは、上下部の横桟１ａ、２ａと縦桟３ａとを方形に組み、両側の縦桟３ａ間にルーバー４を上述と同じ要領で組み込み、中桟５ａを取り付けた公知のパネル体でよい。なお、水平パネル体にも傾斜パネル体ａと同じ上下部胴縁６、７が取り付けられている。
【００１８】
以上のように、傾斜パネル体ａにも中桟５を配置することにより、水平パネル体ｂの構造と同様の態様となり、平坦地Ｐと傾斜地Ｑに設置されるパネル体ｂ、ａのデザインに連続性、統一性が得られることになり、全体的な外観が良好となる。また、中桟５を設けることにより、枠とルーバー４の強度が向上するので、パネル体の全体の長さを長くすることができるだけでなく、ルーバー４のあおりやガタつきが防止され、また不快なノイズの発生も防ぐことができる。
【００１９】
また、内側中桟５ａの外向きＬ形縁１２と外側中桟５ｂの内向きＬ形縁１３とを係合させることにより一体とし、外向きＬ形縁１２と内向きＬ形縁１３の上下部を切欠き、切欠き部１９の内側に上記横桟１、２を挟み込んだので、全体が平行四辺形状に変形しても横桟１、２が上記Ｌ形縁１２に干渉することがない。
【００２０】
なお、上記水平パネル体ｂと傾斜パネル体ａは自在柱方式で支柱２４に支持固定されている。そのうち、傾斜パネル体ａは上下部固定金具を介して支柱２４に固定されている。上部固定金具２５は図８（ａ）（ｂ）に示されるように、取付片２７と中央片２８と係合片２９とをＺ字形に屈曲形成してなり、取付片２７には円弧状のビス挿通孔３０が形成され、係合片２９の端部は内側に屈曲している。そして、係合片２９を上部胴縁８の金具受け溝２２に係合し、取付片２７を支柱２４に当接してその中央とビス挿通孔３０からビス３１ａ、ビス３１を挿通して支柱２４に固定している。また、下部固定金具２６も図９に示されるように、取付片３２と中央片３３と係合片３４とをＺ字形に屈曲形成してなり、取付片３２には円弧状のビス挿通孔３５が形成されている。そして、中央片３３と係合片３４を下部胴縁９に係合し、取付片３２を支柱２４に当接してその中央とビス挿通孔３５からビス３１ａ、ビス３１を挿通して支柱２４に固定している。ビス挿通孔３５は円弧状に形成されているから、傾斜パネル体ａの傾斜角度が変わっても、ビス３１はビス挿通孔３５から挿通して支柱２４の所定の位置に固定することができる。
【００２１】
次に、上記構成の傾斜パネル体ａは傾斜地Ｑに設置されるものであるが、図１に示されるように、これを他の傾斜パネル体ａに連結するときは、平坦地Ｐに設置される水平パネル体ｂに連結させる場合と、傾斜地Ｑに設置される傾斜パネル体ｂに連結させる場合とがある。
【００２２】
まず、上記傾斜パネル体ａを平坦地Ｐに設置される水平パネル体ｂに連結させるときは、互いに連結された２個の連結カバー材３６を介して連結する。すなわち、図１０〜図１２に示されるように、水平パネル体ｂと傾斜パネル体ａの両側端部に連結カバー材３６を取り付け、これらの連結カバー材３６を突合せて連結する。両連結カバー材３６は同じ大きさの断面コ字形に形成され、上下端の側部には縦長のビス固定用の長孔３７が形成されている。また、各連結カバー材３６の内側には縦桟３と縦桟カバー８と上下部胴縁６、７の端部（連結部）を飲み込む程度の空間が形成されている。さらに、各連結カバー材３６の上下端にはキャップ３８が取り付けられている。
【００２３】
これに対し、水平パネル体ｂ側の連結カバー材３６の長さは、水平パネル体ｂの高さ寸法と略同じ、つまり上下のキャップ３８内に水平パネル体ｂの上下部胴縁６、７がぴったりと納まる程度に形成されている。しかし、傾斜パネル体ａ側の連結カバー材３６は、傾斜パネル体ａの高さ寸法よりも長く形成されている。上記連結カバー材３６は、傾斜パネル体が最大傾斜角度（例えば４０°）で上記縦桟３と上下部胴縁６、７を飲み込んだ状態において、その上端のキャップが傾斜パネル体ａと干渉しない長さを有している。
【００２４】
なお、上記２つの連結カバー材３６は同じ押出型材を切断して利用すればよいので、水平パネル体ｂの上下端のビス固定用の長孔３７は途中で切り落とされている。
【００２５】
上記２つの連結カバー材３６の背面部の中央部には、その長手方向に沿ってあり溝状の連結溝４０が形成されている。この連結溝４０に断面Ｈ字形の連結杆４１（連結手段）が嵌合され、これにより２つの連結カバー材３６は上記連結杆４１を介して互いに長手方向にスライド可能に連結されている。
【００２６】
次に、上記連結カバー材３６を介して平坦地Ｐに設置される水平パネル体ｂと傾斜地Ｑに設置される傾斜パネル体ａとを連結するときは、まず水平パネル体ｂと傾斜パネル体ａとを支柱２４に固定し、また傾斜パネル体ａの連結部の上部胴縁８のはみ出し部を切除しておき、両連結カバー材３６を連結し、下端のキャップ３８を外した状態で上記パネル体ａ、ｂの上から被せるようにして降ろし、水平パネル体ｂと傾斜パネル体ａの連結カバー材３６の違いに応じて２つの連結カバー材３６をスライドさせ、上記２つの連結カバー材３６の内側に水平パネル体ｂと傾斜パネル体ａの端部の連結部を飲み込ませ、さらにそれぞれの連結カバー材３６の長孔３７から固定用のビス４３を挿通して水平パネル体ｂと傾斜パネル体ａの上下部胴縁６、７に形成されたビス受け溝２１に固定し、両パネル体ｂ、ａの連結カバー材３６の上下端にキャップ３８を取り付ければよい。
【００２７】
以上のように、平坦地Ｐに設置される水平パネル体ｂと傾斜地Ｑに設置される傾斜パネル体ａとを連結してなる傾斜フェンスにおいて、断面コ字形の２つの連結カバー材３６をスライド可能に連結して、それぞれの連結カバー材３６に水平パネル体ｂと傾斜パネル体ａの連結部を飲み込ませて取り付けるものであるから、連結されるべき両側のパネル体ａ、ｂの取付位置に多少の誤差があってもその誤差は連結カバー材３６に吸収されるので、施工が容易である。また、２つのパネル体ａ、ｂの連結部に隙間ができないので、傾斜パネル体ａと水平パネル体ｂとの間に隙間がなく、連続性がよく、外観が良好である。
連結部に隙間ができないので、水平パネルｂと傾斜パネル体ａの隙間がなく、連続性がよく、外観もよい。
【００２８】
また、傾斜パネル体ａが最大傾斜角度で上記連結部を飲み込んだ状態において、その上端のキャップ３８が傾斜パネル体ａと干渉しない長さを有しているので、キャップ３８が傾斜パネル体ａの連結部の飲み込みに邪魔になることがなく、連結作業を円滑に行なうことができる。
【００２９】
上記２つの連結カバー材３６は、共通の連結手段４１を介してスライド可能に嵌合して連結されているので、傾斜パネル体ａの傾斜角度に応じて簡単に２つの連結カバー材３６の高さ調整をすることができる。
【００３０】
上記連結カバー材３６の側部には、上記傾斜パネル体ａにビス固定するための縦長の長孔３７が形成されているので、傾斜パネル体ａの傾斜角度が異なっても、適正位置にビス４３を打つことができる。
【００３１】
なお、上記２つの連結カバー材３６のスライド連結は上述の形態に限定されない。図示はしないが、例えば、一方の連結カバー材３６の連結溝をあり溝状に形成し、他方の連結カバー材３６の連結部を上記連結溝に嵌合する断面Ｔ字形の突縁を形成し、この突縁を上記連結溝にスライド可能に嵌合する構成であってもよい。
【００３２】
次に、上記傾斜パネル体ａを傾斜地Ｑに設置された他の傾斜パネル体ａと連結させるときは、図１３〜図１５に示されるように、縦桟カバー８を利用して行なう。
【００３３】
すなわち、縦桟カバー８は図５のように縦桟３と横桟１、２の端部を飲み込む空間部を有する断面コ字形に形成され、その長さは縦桟３と略同じに形成されている。これにより、縦桟カバー８は縦桟３に対して左右方向にスライド可能になっている。そして、縦桟カバー８の上下部には傾斜長孔４５が形成されている。これに対し、上記縦桟３には上下方向に３個（２個または４個以上であってもよい）のビス孔４６が形成されている。
【００３４】
また、上記縦桟カバー８の上下端は前記上下部胴縁６、７の内側に収容されている。
【００３５】
次に、上記縦桟カバー８を利用して傾斜地Ｑに設置される傾斜パネル体ａ同士を連結するときは、まず、上記両傾斜パネル体ａの上下端を連結する。つまり、上下部胴縁６、７の端部同士を連結材４７によって連結する。連結材４７は上下部胴縁６、７の中空部に嵌合させてビスで固定すればよい。
【００３６】
さらに、上記縦桟カバー８の一方または両方を左右方向にスライドさせ、両縦桟カバー８の背面が当接した位置で傾斜長孔４５からビス１７を挿通し、縦桟３のビス孔４６に固定する。なお、縦桟カバー８のスライド移動量を調整することにより、傾斜長孔４５から挿通したビス１７を縦桟３のいずれかのビス孔４６に固定することができる。
【００３７】
これにより、上下部の傾斜パネル体ａ間に形成された隙間は縦桟カバー８によって塞がれる。
【００３８】
上述の傾斜パネル体ａ同士の連結構成によれば、両傾斜パネル体ａの上下端を連結するとともに、上記各傾斜パネル体ａの縦桟３の外側に左右方向にスライド可能な縦桟カバー８を設け、これらの縦桟カバー８を傾斜連結時に縦桟３に対して左右方向にスライドして連結されるべき２つの傾斜パネル体ａの縦桟３間の隙間を閉塞するものであるから、各傾斜パネル体ａの縦桟カバー８はそれぞれ独立に左右にスライドさせることができるので、スライドの自由度が高い。したがって、縦桟カバー８は傾斜連結時に縦桟３に対して左右方向にスライドして確実に縦桟３間の隙間を閉塞するので、連続性を確保することができ、外観も良好である。
【００３９】
また、連結されるべき両側のパネル体ａの取付位置に多少の誤差があってもその誤差は縦桟カバー８に吸収されるので、施工が容易である。
【００４０】
なお、傾斜パネル体ａの傾斜が図１５のように、図１３と逆になる場合でも、同様にして縦桟カバー８の一方または両方を左右方向にスライドさせ、両縦桟カバー８の背面が当接した位置で傾斜長孔４５からビス１７を挿通し、縦桟３のビス孔４６に固定する。
【００４１】
以上のように、傾斜地Ｑに設置される上下の傾斜パネル体ａを連結してなる傾斜フェンスにおいて、縦桟カバー８は傾斜連結時に縦桟３に対して左右方向にスライドして縦桟３間の隙間を閉塞するので、連続性がよい。
【００４２】
また、上記縦桟カバー８は、上記縦桟３に形成された傾斜長孔４５から挿通されたビス１７によって縦桟３に固定されるので、傾斜パネル体ａの傾斜角度によって傾斜長孔４５におけるビス１７の挿通位置を選択することができるので、適正な位置にビス固定することができる。
【図面の簡単な説明】
【００４３】
【図１】傾斜地に設置された２枚の傾斜パネル体を平坦地に設置された水平パネル体に連結した傾斜フェンスの正面図である。
【図２】傾斜パネル体の正面図である。
【図３】傾斜パネル体の元の状態の正面図である。
【図４】図３のＡ−Ａ線上の拡大断面図である。
【図５】図３のＢ−Ｂ線上の拡大断面図である。
【図６】図３のＣ−Ｃ線上の拡大断面図である。
【図７】傾斜パネル体の中桟部分を仮想線で示した拡大正面図である。
【図８】（ａ）（ｂ）は上部固定金具とその周辺部を示す正面図および側面図である。
【図９】下部固定金具とその周辺部を示す正面図である。
【図１０】水平パネル体と傾斜パネル体との連結部分の拡大正面図である。
【図１１】図１０のＤ−Ｄ線上の拡大断面図である。
【図１２】図１０のＥ―Ｅ線上の一部の拡大断面図である。
【図１３】傾斜パネル体同士の連結部の拡大正面図である。
【図１４】図１３のＦ−Ｆ線上の断面図である。
【図１５】角度を変えた場合の傾斜パネル体同士の連結部の拡大正面図である。
【符号の説明】
【００４４】
ａ  傾斜パネル体
ｂ  水平パネル体
１、２  横桟
３  縦桟
５  中桟
８  縦桟カバー
３６  連結カバー材
３８  キャップ
【図１】
0004717682.tif 000002
【図２】
0004717682.tif 000003
【図３】
0004717682.tif 000004
【図４】
0004717682.tif 000005
【図５】
0004717682.tif 000006
【図６】
0004717682.tif 000007
【図７】
0004717682.tif 000008
【図８】
0004717682.tif 000009
【図９】
0004717682.tif 000010
【図１０】
0004717682.tif 000011
【図１１】
0004717682.tif 000012
【図１２】
0004717682.tif 000013
【図１３】
0004717682.tif 000014
【図１４】
0004717682.tif 000015
【図１５】
0004717682.tif 000016